(57)【特許請求の範囲】
【請求項１】
（Ａ）第２ジアリールアミン、
（Ｂ）少なくとも１種の硫化ヒンダードフェノール、及び
（Ｃ）油溶性の硫黄含有モリブデン化合物
を含む酸化防止剤系。
【請求項２】
潤滑粘度の油及び請求項１記載の酸化剤組成物を含む潤滑組成物。
【請求項３】
請求項１記載の酸化防止剤系及び希釈プロセス油を含む濃厚添加剤。
【請求項４】
潤滑油に有効量の請求項１記載の酸化防止剤系を添加することを特徴とする潤滑油組成物における酸化的環境を軽減する方法。
【発明の詳細な説明】
【０００１】
【技術分野】
本発明は優れたニトリルエラストマーシール適合性を示す酸化防止剤系及び十分に配合された潤滑剤におけるその利用に関する。さらに特定的には、本発明は、（Ａ）少なくとも１種の第２ジアリールアミン、（Ｂ）少なくとも１種の硫化オレフィン及び／又は硫化ヒンダードフェノール、ならびに（Ｃ）少なくとも１種の油溶性モリブデン化合物を含む酸化防止剤組成物に関する。
【０００２】
【技術背景】
自動車及びトラックの内燃機関で用いられる場合、潤滑油は使用中に必要環境に供される。該環境は油を傷める酸化を生じ、それは油中の不純物の存在により触媒され、使用中の油の高温により促進される。使用中の潤滑油の酸化は通常酸化防止添加剤の使用によりある程度抑制され、酸化防止添加剤は特に許容され得ない粘度の上昇を軽減するか又は妨げることにより油の有効寿命を延長することができる。
【０００３】
今回、（Ａ）１種もしくはそれ以上の第２ジアリールアミン、（Ｂ）１種もしくはそれ以上の硫化オレフィン及び／又は１種もしくはそれ以上の硫化ヒンダードフェノール、ならびに（Ｃ）油溶性モリブデン化合物の組み合わせが非常に有効な酸化防止剤系を与えることが見いだされた。
【０００４】
米国特許第５，６０５，８８０号は潤滑剤組成物においてオキシモリブデンスルフィドジチオカルバメート及びオキシモリブデンスルフィドオルガノホスホロジチオエートと組み合わされたアルキル化ジフェニルアミン及びフェニル−アルファ−ナフチルアミンを開示している。しかしこれらの参照文献は硫化オレフィン及び硫化ヒンダードフェノールの使用を記載してはいない。
【０００５】
ＷＯ９５／０７９６３は硫黄含有モリブデン化合物及びアルキル化ジフェニルアミンの混合物を開示している。該参照文献は硫化オレフィン又は硫化ヒンダードフェノールなどの他の酸化防止剤が存在することができると述べているが、該参照文献は３成分酸化防止剤系の使用を特に記載してはおらず、３成分系が該参照文献の２成分組成物より有意に有効な酸化防止剤系を与えることを認識してはいない。
【０００６】
【発明の概略】
本発明の目的は、低レベルのＺＤＤＰに由来するリン、典型的に８５０ｐｐｍ未満のリンを含有し、水素化分解及び／又は水素異性化された鉱物性ベース油を用いている完全に配合された潤滑剤組成物に、（Ａ）第２ジアリールアミン、（Ｂ）硫化オレフィン及び／又は硫化ヒンダードフェノール、ならびに（Ｃ）少なくとも１種の油溶性モリブデン化合物を含む酸化防止剤組成物を該潤滑剤組成物中に導入することにより、ニトリルエラストマーシールを硬化させずに、非常に高レベルの酸化保護及び粘度制御を与えることである。この３成分酸化防止剤系は、上記のベース油のために、これらの成分のいずれの２つの組み合わせを用いて得られる保護より優れた酸化防止剤保護を与える。
【０００７】
１つの側面において、本発明は、ベース油と、（Ａ）第２ジアリールアミン、（Ｂ）硫化オレフィン及び／又は硫化ヒンダードフェノールならびに（Ｃ）少なくとも１種の油溶性モリブデン化合物を含む酸化防止剤組成物を含む潤滑油組成物に関する。
【０００８】
他の側面において、本発明は、（Ａ）第２ジアリールアミン、（Ｂ）硫化オレフィン及び／又は硫化ヒンダードフェノールならびに（Ｃ）少なくとも１種の油溶性モリブデン化合物を含む酸化防止剤組成物を潤滑剤中に導入することにより、潤滑剤の酸化防止性及びニトリルエラストマーシール適合性を向上させるための方法に関する。
【０００９】
さらに別の側面において、本発明は、溶媒と、（Ａ）第２ジアリールアミン、（Ｂ）硫化オレフィン及び／又は硫化ヒンダードフェノールならびに（Ｃ）少なくとも１種の油溶性モリブデン化合物の組み合わせを含む濃厚潤滑油（ｌｕｂｒｉｃａｔｉｏｎ  ｏｉｌ  ｃｏｎｃｅｎｔｒａｔｅ）に関する。
【００１０】
【発明の詳細な記述】
成分（Ａ）−第２ジアリールアミン
本発明で用いられる第２ジアリールアミンは配合された油パッケージ又は濃厚パッケージ中に可溶性でなけばならない。好ましくは第２ジアリールアミンは一般式：Ｒ1−ＮＨ−Ｒ2を有し、式中、Ｒ1及びＲ2はそれぞれ独立して炭素数が６〜３０の置換もしくは非置換アリール基を示す。アリールのための代表的置換基には炭素数が１〜２０のアルキル基、アルキルアリール基、ヒドロキシ、カルボキシ及びニトロ基が含まれる。アリールは好ましくは置換もしくは非置換フェニル又はナフチル、特にアリール基の１つ又は両方がアルキルで置換されているものである。両方のアリール基がアルキル置換であるのが好ましい。
【００１１】
本発明で用いることができる第２ジアリールアミンの例にはジフェニルアミン、アルキル化ジフェニルアミン、２−ヒドロキシジフェニルアミン、Ｎ−フェニル−１，２−フェニレンジアミン、Ｎ−フェニル−１，４−フェニレンジアミン、ブチルジフェニルアミン、ジブチルジフェニルアミン、オクチルジフェニルアミン、ジオクチルジフェニルアミン、ノニルジフェニルアミン、ジノニルジフェニルアミン、フェニル−アルファ−ナフチルアミン、フェニル−ベータ−ナフチルアミン、ヘプチルジフェニルアミン、ジヘプチルジフェニルアミン、メチルスチリルジフェニルアミン、混合ブチル／オクチルアルキル化ジフェニルアミン、混合ブチル／スチリルアルキル化ジフェニルアミン、混合エチル／ノニルアルキル化ジフェニルアミン、混合オクチル／スチリルアルキル化ジフェニルアミン、混合エチル／メチルスチリルアルキル化ジフェニルアミン、オクチルアルキル化フェニル−アルファ−ナフチルアミン及び石油工業で通常用いられる種々の純度のこれらの組み合わせが含まれる。
【００１２】
商業的第２ジアリールアミンの例にはＣｉｂａ−Ｇｅｉｇｙ  ＣｏｒｐｏｒａｔｉｏｎからのＩｒｇａｎｏｘR  Ｌ０６及びＩｒｇａｎｏｘR  Ｌ５７；Ｕｎｉｒｏｙａｌ  Ｃｈｅｍｉｃａｌ  ＣｏｍｐａｎｙからのＮａｕｇａｌｕｂｅR  ＡＭＳ、ＮａｕｇａｌｕｂｅR  ４３８、ＮａｕｇａｌｕｂｅR  ４３８Ｒ、ＮａｕｇａｌｕｂｅR  ４３８Ｌ、ＮａｕｇａｌｕｂｅR  ５００、ＮａｕｇａｌｕｂｅR  ６４０、ＮａｕｇａｌｕｂｅR  ６８０及びＮａｕｇａｌｕｂｅR  ＰＡＮＡ；ＢＦ  Ｇｏｏｄｒｉｃｈ  Ｓｐｅｃｉａｌｔｙ  ＣｈｅｍｉｃａｌｓからのＧｏｏｄｒｉｔｅR  ３１２３、ＧｏｏｄｒｉｔｅR  ３１９０Ｘ３６、ＧｏｏｄｒｉｔｅR  ３１２７、ＧｏｏｄｒｉｔｅR  ３１２８、ＧｏｏｄｒｉｔｅR  ３１８５Ｘ１、ＧｏｏｄｒｉｔｅR  ３１９０Ｘ２９、ＧｏｏｄｒｉｔｅR  ３１９０Ｘ４０及びＧｏｏｄｒｉｔｅR  ３１９１；Ｒ．Ｔ．Ｖａｎｄｅｒｂｉｌｔ  Ｃｏｍｐａｎｙ，Ｉｎｃ．からのＶａｎｌｕｂｅR  ＤＮＤ、ＶａｎｌｕｂｅR  ＮＡ、ＶａｎｌｕｂｅR  ＰＮＡ、ＶａｎｌｕｂｅR  ＳＬ、ＶａｎｌｕｂｅR  ＳＬＨＰ、ＶａｎｌｕｂｅR  ＳＳ、ＶａｎｌｕｂｅR  ８１、ＶａｎｌｕｂｅR８４８及びＶａｎｌｕｂｅR  ８４９が含まれる。
【００１３】
第２ジアリールアミンの窒素含有率は正味の濃厚添加剤の約２重量％〜約１２重量％であるのが好ましい。配合された潤滑油における第２ジアリールアミンの濃度は、顧客の要求及び用途ならびに特定の配合油の場合に必要な酸化防止剤保護の所望の程度に依存して変化し得る。典型的に第２ジアリールアミンは配合油において約０．０５重量％〜約０．５重量％、好ましくは約０．１重量％〜約０．４重量％の量で存在する。
成分（Ｂ）−硫化オレフィン及び／又は硫化ヒンダードフェノール
本発明において有用な硫化オレフィンは複数の既知の方法により製造することができる。それはその製造に用いられるオレフィンの型及びその最終的硫黄含有率により特徴付けられる。高分子量オレフィン、すなわち１６８〜３５１ｇ／モルの平均分子量を有するオレフィンが好ましい。用いることができるオレフィンの例にはアルファ−オレフィン、異性化アルファ−オレフィン、分枝オレフィン、環状オレフィン及びこれらの組み合わせが含まれる。
【００１４】
適したアルファ−オレフィンにはいずれのＣ4−Ｃ25アルファオレフィンも含まれる。アルファ−オレフィンは硫化反応の前か又は硫化反応の間に異性化されることができる。内部二重結合及び／又は分枝を含有するアルファオレフィンの構造及び／又は配座異性体を用いることもできる。例えばイソブチレンはアルファ−オレフィンである１−ブテンの分枝オレフィンとしての相手である。
【００１５】
硫化反応で用いることができる硫黄源には：硫黄元素、一塩化硫黄、二塩化硫黄、硫化ナトリウム、多硫化ナトリウム及び一緒にか又は硫化過程の異なる段階で加えられるこれらの混合物が含まれる。
【００１６】
不飽和脂肪酸及び油も、その不飽和の故に硫化されることができ、本発明で用いることができる。用いることができる脂肪酸の例には、ラウロール酸（ｌａｕｒｏｌｅｉｃ  ａｃｉｄ）、ミリストール酸（ｍｙｒｉｓｔｏｌｅｉｃ  ａｃｉｄ）、パルミトール酸（ｐａｌｍｉｔｏｌｅｉｃ  ａｃｉｄ）、オレイン酸、エライジン酸、ワクセン酸（ｖａｃｃｅｎｉｃ  ａｃｉｄ）、リノール酸、リノレン酸、ガドール酸（ｇａｄｏｌｅｉｃ  ａｃｉｄ）、アラキドン酸、エルカ酸及びこれらの混合物が含まれる。用いることができる油又は脂肪の例にはコーン油、綿実油、ブドウ種油（ｇｒａｐｅｓｅｅｄ  ｏｉｌ）、オリーブ油、パーム油、ピーナッツ油、ナタネ油、サフラワー油、ゴマ油、大豆油、ヒマワリ油及びこれらの組み合わせが含まれる。
【００１７】
配合された潤滑油中の硫化オレフィンの濃度は顧客の要求及び用途ならびに特定の配合油の場合に必要な酸化防止剤保護の所望の程度に依存して変化し得る。配合油中で用いられる硫化オレフィンの濃度の選択のための重要な基準は、硫化オレフィン自身の硫黄濃度である。硫化オレフィンは完成潤滑剤配合物に０．０５重量％〜０．３０重量％の硫黄を与えなければならない。例えば２０重量％の硫黄含有率を有する硫化オレフィンは、０．０５重量％〜０．３０重量％の硫黄を完成油に与えるために０．２５重量％〜１．５重量％の量で用いられねばならない。１０重量％の硫黄含有率を有する硫化オレフィンは、０．０５重量％〜０．３０重量％の硫黄を完成油に与えるために０．５重量％〜３．０重量％用いられねばならない。
【００１８】
本発明で用いることができる商業的硫化オレフィンの例には、すべてＥｔｈｙｌ  Ｃｏｒｐｏｒａｔｉｏｎからの約２０重量％の硫黄含有率を有するＨｉＴＥＣR  ７０８４、約１２重量％の硫黄含有率を有するＨｉＴＥＣR  ７１８８、約４７．５重量％の硫黄含有率を有するＨｉＴＥＣR  ３１２及び約４７．５重量％の硫黄含有率を有するＨｉＴＥＣR  ３１３ならびにＲｈｅｉｎ  Ｃｈｅｍｉｅ  Ｃｏｒｐｏｒａｔｉｏｎからの約３８重量％の硫黄含有率を有するＡｄｄｉｔｉｎR  ＲＣ  ２５４０−Ａが含まれる。本発明で用いることができる商業的に入手可能な硫化脂肪油又は硫化脂肪油とオレフィンの混合物にはすべてＲｈｅｉｎ  Ｃｈｅｍｉｅ  Ｃｏｒｐｏｒａｔｉｏｎからの約９．５重量％の硫黄含有率を有するＡｄｄｉｔｉｎR  Ｒ  ４４１０、約１２．５重量％の硫黄含有率を有するＡｄｄｉｔｉｎR  Ｒ  ４４１２−Ｆ、約１７．５重量％の硫黄含有率を有するＡｄｄｉｔｉｎR  Ｒ  ４４１７、約１５重量％の硫黄含有率を有するＡｄｄｉｔｉｎR  ＲＣ  ２５１５、約２６重量％の硫黄含有率を有するＡｄｄｉｔｉｎR  ＲＣ  ２５２６、約１０重量％の硫黄含有率を有するＡｄｄｉｔｉｎRＲＣ  ２８１０−Ａ、約１４重量％の硫黄含有率を有するＡｄｄｉｔｉｎR  ＲＣ  ２８１４−Ａ及び約１６重量％の硫黄含有率を有するＡｄｄｉｔｉｎR  ＲＣ  ２８１８−Ａが含まれる。硫化オレフィン及び／又は脂肪油は低い腐食性及びＡＳＴＭ−Ｄ  １６６２により決定される低い活性硫黄含有率の液体であるのが好ましい。
【００１９】
本発明で用いるのに適した硫化ヒンダードフェノールは複数の既知の方法により製造することができる。それはその製造で用いられるヒンダードフェノールの型及びその最終的硫黄含有率により特徴付けられる。ヒンダードｔｅｒｔ−ブチルフェノールが好ましい。硫化ヒンダードフェノールは塩素−非含有であることができ、硫黄元素、硫化ナトリウム又は多硫化ナトリウムなどの塩素−非含有硫黄源から製造されるかあるいはそれらは塩素を含有することができ、一塩化硫黄及び二塩化硫黄などの塩素化硫黄源から製造される。好ましい硫化ヒンダードフェノールは以下の一般構造のものをふくむ。
【００２０】
【化１】
0003812637.tif 000002
【００２１】
式中、Ｒはアルキル基であり、Ｒ1はアルキル基及び水素から成る群より選ばれ、Ｚ又はＺ1の一方はＯＨであり、他方は水素であり、Ｚ2又はＺ3の一方はＯＨであり、他方は水素であり、ｘは１〜６の範囲内にあり、ｙは０〜２の範囲内にある。
【００２２】
適した塩素−非含有硫化ヒンダードフェノールは米国特許第３，９２９，６５４号に記載されている方法により製造することができるか又は同時係属出願である１９９６年６月３日出願の０８／６５７，１４１及び１９９７年２月１９日出願の０８／８７７，５３３に記載されている通り、（ａ）極性溶媒中で（ｉ）少なくとも１種の塩素−非含有ヒンダードフェノール、（ｉｉ）塩素−非含有硫黄源及び（ｉｉｉ）少なくとも１種のアルカリ金属水酸化物促進剤の混合物を調製し、（ｂ）少なくとも１種の塩素−非含有硫化ヒンダードフェノールの生成に十分な時間及び十分な温度で成分（ｉ）、（ｉｉ）及び（ｉｉｉ）を反応させることにより得ることができる。
【００２３】
塩素化硫黄源から製造される適した硫化ヒンダードフェノール生成物には米国特許第３，２５０，７１２及び４，９４６，６１０号に記載されている生成物が含まれ、両特許は引用することによりその記載事項が本明細書の内容となる。
【００２４】
本発明で用いることができる適した硫化ヒンダードフェノールの例には、４，４’−チオビス（２，６−ジ−ｔ−ブチルフェノール）、４，４’−ジチオビス（２，６−ジ−ｔ−ブチルフェノール）、４，４’−チオビス（２−ｔ−ブチル−６−メチルフェノール）、４，４’−ジチオビス（２−ｔ−ブチル−６−メチルフェノール）、４，４’−チオビス（２−ｔ−ブチル−５−メチルフェノール）及びこれらの混合物が含まれる。
【００２５】
硫化ヒンダードフェノールは実質的に液体生成物であるのが好ましい。本明細書で用いられる場合、実質的に液体とは主に液体である組成物を言う。これに関し、硫化ヒンダードフェノールの老化した試料は、一般に生成物が空気及びガラス容器の表面と接触するようになる容器の側の回りで少量の結晶を生成し得る。同時係属出願である１９９６年６月３日出願の０８／６５７，１４１及び１９９７年２月１９日出願の０８／８７７，５３３に記載されている通り、硫化ヒンダードフェノールは塩素−非含有であり、低い腐食性のものであり、１硫化物の含有率が高いのがさらに好ましい。硫化ヒンダードフェノールの硫黄含有率は濃厚添加剤の４．０重量％〜１２．０重量％の範囲内であるのも好ましい。
【００２６】
配合された潤滑油における硫化ヒンダードフェノールの濃度は顧客の要求及び用途ならびに特定の配合油の場合に必要な酸化防止剤保護の所望の程度に依存して変化し得る。好ましい使用範囲は完成配合油中で０．３重量％〜１．５重量％である。
【００２７】
硫化オレフィン及び硫化ヒンダードフェノールの混合物も用いることができる。
成分（Ｃ）−油溶性モリブデン化合物
本発明においていずれの油溶性モリブデン化合物も用いることができる。決定的条件は完成配合油に与えられるモリブデンの量である。量は顧客の要求及び用途ならびに特定の配合油の場合に必要な酸化防止剤保護の所望の程度に依存して変化し得る。モリブデンの好ましい濃度は完成配合油中で６０ｐｐｍ〜１０００ｐｐｍである。例えば８．０重量％のモリブデン含有率を有する油溶性モリブデン化合物は、６４ｐｐｍ〜１０００ｐｐｍのモリブデンを完成油に与えるために０．０８重量％〜１．２５重量％用いられねばならない。
【００２８】
本発明で用いることができるいくつかの油溶性モリブデン化合物の例には、モリブデンジチオカルバメート、オキシモリブデンスルフィドジチオカルバメート、モリブデンジチオキサントゲネート、オキシモリブデンスルフィドジチオキサントゲネート、モリブデンオルガノホスホロジチオエート、オキシモリブデンスルフィドオルガノホスホロジチオエート、モリブデンカルボキシレート、モリブデンアミン錯体、モリブデンアルコール錯体、モリブデンアミド錯体、混合モリブデンアミン／アルコール／アミド錯体及びこれらの組み合わせが含まれる。本発明で用いることができる商業的に入手可能な油溶性モリブデン化合物の例には、Ｓｈｅｐｈｅｒｄ  Ｃｈｅｍｉｃａｌ  Ｃｏｍｐａｎｙから入手可能な約８．５重量％のモリブデン含有率を有するオクタン酸モリブデン；ＯＭ  Ｇｒｏｕｐから入手可能な約１５．０重量％のモリブデン含有率を有するモリブデンＨＥＸ−ＣＥＭ；すべてＲ．Ｔ．Ｖａｎｄｅｒｂｉｌｔ  Ｃｏｍｐａｎｙ，Ｉｎｃ．から入手可能な約８．０重量％のモリブデン含有率を有するＭｏｌｙｖａｎR  ８５５、約４．９重量％のモリブデン含有率を有するＭｏｌｙｖａｎR  ８０７及び約４．９重量％のモリブデン含有率を有するＭｏｌｙｖａｎR  ８２２；すべてＡｓａｈｉ  Ｄｅｎｋａ  Ｋｏｇｙｏ  Ｋ．Ｋ．から入手可能な約４．１重量％のモリブデン含有率を有するＳＡＫＵＲＡ−ＬＵＢＥR  １００、約４．５重量％のモリブデン含有率を有するＳＡＫＵＲＡ−ＬＵＢＥR  １５５、約２７．５重量％のモリブデン含有率を有するＳＡＫＵＲＡ−ＬＵＢＥR  ６００及び約４．５重量％のモリブデン含有率を有するＳＡＫＵＲＡ−ＬＵＢＥR  ７００が含まれる。
【００２９】
リン−不含モリブデン化合物は、モーター油のリン含有率を低下させ、自動車触媒の適合性を向上させる傾向のためにクランクケース油配合物において用いるのに好ましい。さらに、完成油中における硫化オレフィン及び硫化ヒンダードフェノールの使用はこれらの添加剤中の活性硫黄の存在の故に制限され得ることに注意するのが重要である。活性硫黄は複数の方法で定義することができる。添加剤中の活性硫黄の量を決定する１つの試験法はＡＳＴＭ−Ｄ  １６６２である。活性硫黄の存在は、活性硫黄の存在に感受性の潤滑剤卓上試験によって決定することもできる。例えばＡＳＴＭ−Ｄ  １３０は実質的量の活性硫黄を含有する潤滑剤の場合に高程度の銅腐食を示す。Ａｌｌｉｓｏｎ  Ｃ−４  ニトリルシール試験も実質的量の活性硫黄を含有する潤滑剤の場合に高程度のニトリルシール硬化を示す。多量の活性硫黄を有する潤滑剤は、これらのシール適合性及び腐食の問題の故に望ましくない、しかしこれらの同じ添加剤が非常に有効な高温酸化防止剤でもある。活性硫黄を含有する酸化防止剤の使用を許すが過剰の銅腐食又はニトリルシール不適合性を起こさない配合法の必要がある。上記の第２ジアリールアミンならびに硫化オレフィン及び／又は硫化ヒンダードフェノールと組み合わされた油溶性硫黄−非含有モリブデン化合物の利用は、潤滑油の正しい配合に必要な優れた酸化防止性及び優れたニトリルシール適合性の両方を与える。
【００３０】
典型的に酸化防止剤組成物は濃厚パッケージの形態で油に加えられる。濃厚物中の生成物の量は一般に約５重量％〜７５重量％、好ましくは約５重量％〜約５０重量％で変化する。濃厚物は分散剤、洗浄剤、抗−摩耗剤、補足的酸化防止剤、粘度指数向上剤、流動点低下剤、腐食防止剤、錆防止剤、抑泡剤及び摩擦修正剤などの他の添加剤も含有することができる。
【００３１】
分散剤は典型的に、高分子量炭化水素鎖に結合した窒素もしくは酸素極性基を含有する非金属性添加剤である。炭化水素鎖は炭化水素ベース原料油中における可溶性を与える。分散剤は油の分解生成物を油中に懸濁させて保つように働く。適した分散剤の例にはポリメタクリレート及びスチレンマレイン酸エステルコポリマー、置換コハク酸イミド、ポリアミンコハク酸イミド、ポリヒドロキシコハク酸エステル、置換マンニッヒ（Ｍａｎｎｉｃｈ）塩基及び置換トリアゾールが含まれる。一般に分散剤は、用いられるなら完成油中で約３重量％〜約１０重量％の量で存在するであろう。
【００３２】
洗浄剤は典型的に金属イオン及び極性基、例えば脂肪族、環状脂肪族又はアルキル芳香族鎖を有するスルホネート又はカルボキシレートを含有する金属性添加剤である。洗浄剤はエンジンの種々の表面から沈着物を持ち上げることにより働く。適した洗浄剤には中性及び塩基性過剰（ｏｖｅｒｂａｓｅｄ）アルカリ及びアルカリ土類金属スルホン酸塩、中性及び塩基性過剰アルカリ及びアルカリ土類金属フェナート、硫化フェナートならびに塩基性過剰アルカリ土類サリチル酸塩が含まれる。一般に洗浄剤は、用いられるなら完成油中で約１重量％〜約５重量％の量で存在するであろう。
【００３３】
抗−摩耗添加剤は一般に潤滑剤配合物中に導入される。通常用いられる抗−摩耗剤は、特に配合されたクランクケース油中で用いるためには、亜鉛ジヒドロカルビルジチオホスフェート（ＺＤＤＰ）である。これらの添加剤は金属表面と反応して新しい界面活性化合物を形成し、それ自身が変形し、かくして最初のエンジン表面を保護することにより働く。ＺＤＤＰは完成配合潤滑油にリンを与えることに責任がある。クランクケースの用途の場合、今日の乗用車ＳＪ油は１０００ｐｐｍのリンという完成油中で許される最高限度を有する。完成配合クランクケース油中におけるリンの存在は自動車による放出を増加させ、かくして汚染の１因となると思われる。従って完成油中のリンの量及び従ってＺＤＤＰの量を減少させることが望ましい。しかしＺＤＤＰは非常に強力な酸化防止剤である。完成油からＺＤＤＰを取り除くことは、油中に存在する他の酸化防止剤に厳しい要求を課する。本発明の３成分酸化防止剤系は、酸化防止剤性能を犠牲にすることなく、例えば５００ｐｐｍ〜８５０ｐｐｍという低下したリンの量で非常に有効である。
【００３４】
補足的酸化防止剤、すなわち本発明の３成分酸化防止剤系に加えての酸化防止剤は、酸化的安定性が低い油又は著しく厳しい条件に供される油において用いることができる。本３成分系により与えられる酸化防止剤保護は追加の酸化防止剤をおそらく必要としない。しかしコスト因子（ｃｏｓｔ  ｆａｃｔｏｒ）及びエンジン油適合性の問題が他の酸化防止剤の使用を必要とし得る。適した補足的酸化防止剤にはヒンダードフェノール、ヒンダードビスフェノール、硫化アルキルフェノール、ジアルキルジチオカルバメート、フェノチアジン及び油溶性銅化合物が含まれる。
【００３５】
本発明の任意の粘度指数向上剤（ＶＩＩ）成分は既知のＶＩＩのいずれからも選ばれることができる。ＶＩＩの機能は温度に伴う粘度の変化の速度を軽減することであり、すなわちそれは低温においてはエンジン油の粘度を最小に向上させるが、高温においてかなり向上させる。適したＶＩＩの例にはポリイソブチレン、ポリメタクリレート、エチレン／プロピレンコポリマー、官能基化エチレン／プロピレンコポリマー、ポリアクリレート、スチレンマレイン酸エステルコポリマー及び水素化スチレン／ブタジエンコポリマーが含まれる。
【００３６】
本発明の潤滑組成物の形成に用いられるベース油は、Ｉ群（Ｇｒｏｕｐ  Ｉ）ベース油と比較して多量の飽和化合物（ｓａｔｕｒａｔｅｓ）及び非常に少量の硫黄の存在により特徴付けられ、石油添加剤工業（ｐｅｔｒｏｌｅｕｍ  ａｄｄｉｔｉｖｅ  ｉｎｄｕｓｔｒｙ）においてＩＩ群（Ｇｒｏｕｐ  ＩＩ）及びＩＩＩ群（Ｇｒｏｕｐ  ＩＩＩ）ベース油と呼ばれるベース油を含む。これらの油の製造に多様な方法を用いることができる。製造される油は一般に重度に水素化処理された油又は水素化分解された油と呼ばれる。それらは通常の原料油から苛酷な水素化段階を用いて芳香族、硫黄及び窒素含有率を低下させ、続いて脱蝋、ハイドロフィニッシング（ｈｙｄｒｏｆｉｎｉｓｈｉｎｇ）、抽出及び／又は蒸留段階を行って完成ベース油を生ぜしめることにより製造される。本発明の油は一般に９０％以上の飽和化合物、０．０３重量パーセント以下の硫黄を含有し、８０以上の粘度指数を有する。
【００３７】
配合されたクランクケース油におけるある種の添加剤の使用を禁止及び／又は制限し得る複数の最近の傾向が石油添加剤工業にある。重要な傾向は油中におけるリンの少量化への動き、新しい燃料経済の要求、もっと高度に精製されたベース油の使用ならびに油の品質試験のためのもっと厳重なエンジン及び卓上試験条件への動きである。そのような変化はある種の現在用いられている酸化防止添加剤が油の酸化に対して望ましい保護を与えないことを示し得る。本発明の３成分酸化防止剤系はこの要求に回答を与える。本発明は腐食の問題及びニトリルシール適合性の問題の故に以前には用いることができなかった硫化された酸化防止剤の使用を可能にする配合法も提供する。
【００３８】
【実施例】
実施例１
１系列の乗用車のモーター油を表１に限定される通りにブレンドした。ポリマー性分散剤、スルホネート洗浄剤、ＺＤＤＰ、消泡剤、粘度指数向上剤、流動点低下剤及び希釈プロセス油を用いて油を配合し、ＳＡＥ等級５Ｗ−３０モーター油を調製した。用いられる添加剤、酸化防止剤及びベース油は表１に限定される通りである。これらの油をＡＳＴＭ  ＳＴＰ  ３１５Ｈ  Ｐａｒｔ１に従ってＳｅｑｕｅｎｃｅ  ＩＩＩＥエンジン試験において評価した。ＩＩＩＥ試験は２３１  ＣＩＤ（３．８）リッターＢｕｉｃｋ  Ｖ−６エンジンを高速（３，０００ｒｐｍ）及び１４９℃という非常に高い油温で６４時間用いる。この試験を用いて酸化、増粘、スラッジ、ワニス（ｖａｒｎｉｓｈ）、沈着物及び高温摩耗を最小にするエンジン油の能力を評価した。
【００３９】
濃厚添加剤パッケージ＃１は完成油に約９００ｐｐｍのＺＤＤＰ由来のリンを与えるようにブレンドされ、通常の水素化仕上げ油における有効なスラッジ抑制に十分な量のポリマー性分散剤と共に配合された。濃厚添加剤パッケージ＃２は完成油に約９００ｐｐｍのＺＤＤＰ由来のリンを与えるようにブレンドされ、硫黄超低量水素化分解油における有効なスラッジ抑制に十分な量のポリマー性分散剤と共に配合された。濃厚添加剤パッケージ＃３は完成油に約８２０ｐｐｍのＺＤＤＰ由来のリンを与えるようにブレンドされ、硫黄超低量水素化分解油における有効なスラッジ抑制に十分な量のポリマー性分散剤と共に配合された。
【００４０】
１００Ｎ及び２４０Ｎ水素化分解ベース油はＣｈｅｖｒｏｎ  Ｃｈｅｍｉｃａｌ  Ｃｏｍｐａｎｙから入手し、典型的に５０ｐｐｍ未満の硫黄、５ｐｐｍ未満の窒素、９５〜９９％の飽和化合物及び１〜４％の芳香族化合物を含有した。１００Ｎ及び３２５Ｎハイドロフィニッシングベース油はＡｓｈｌａｎｄ  ＯｉｌＣｏｍｐａｎｙから入手し、それぞれ０．３１重量％及び０．８８重量％の硫黄を含有し、さらに水素化分解油に対してもっと高い窒素含有率、もっと少量の飽和化合物及びもっと多量の芳香族化合物を特徴とする。
【００４１】
用いられた硫化オレフィンは、Ｅｔｈｙｌ  ＣｏｒｐｏｒａｔｉｏｎからＨｉＴＥＣR  ７０８４硫化オレフィンとして商業的に入手可能な約２０重量％の硫黄を含有するＣ16-18硫化オレフィンであった。用いられた２−エチルヘキサン酸モリブデンはＯＭ  Ｇｒｏｕｐから得た約１５重量％のモリブデンを含有する油溶性モリブデン化合物であるモリブデンＨＥＸ−ＣＥＭであった。有機モリブデン錯体は、Ｒ．Ｔ．Ｖａｎｄｅｒｂｉｌｔ  Ｃｏｍｐａｎｙ，Ｉｎｃ．から入手可能な硫黄及びリンを含有しないモリブデン化合物であるＭｏｌｙｖａｎR  ８５５である。アルキル化ジフェニルアミンはＵｎｉｒｏｙａｌ  Ｃｈｅｍｉｃａｌ  Ｃｏｍｐａｎｙ，Ｉｎｃ．から入手可能なオクチル／スチリルアルキル化ジフェニルアミンであるＮａｕｇａｌｕｂｅR  ６８０である。
【００４２】
【表１】
0003812637.tif 000003
【００４３】
表ＩのＳｅｑｕｅｎｃｅ  ＩＩＩＥの結果は多様な効果を示している。（１）モリブデン及びアルキル化ジフェニルアミンから成る２成分酸化防止剤系は粘度の制御において有効であり、硫黄高量水素化仕上げ油（油＃１）においてＩＩＩＥに合格するが硫黄超低量水素化分解油（油＃２〜４）においては、硫黄低量水素化分解油における酸化防止剤処理の程度を調節しても、ずっと有効性が低い。（２）硫化オレフィン及びアルキル化ジフェニルアミンから成る２成分酸化防止剤（油＃５）は、低量の（８２０ｐｐｍ）リンを含有する硫黄低量水素化分解油における粘度の制御及びＩＩＩＥの合格において無効である。（３）硫化オレフィン、アルキル化ジフェニルアミン及びモリブデンから成る本発明（油＃６及び７）の３成分酸化防止剤系が硫黄超低量水素化分解油において用いられると、粘度を制御し、ＩＩＩＥに合格する油の能力における有意な向上が見られる。
【００４４】
表１の結果は、低量のリンと配合された硫黄超低量水素化分解油における有効な粘度制御のために、硫化オレフィン、アルキル化ジフェニルアミン及び油溶性モリブデンから成る３元酸化防止剤系が通常の２成分（すなわちジフェニルアミンと一緒のモリブデン又はジフェニルアミンと一緒の硫化オレフィン）酸化防止剤系と比較してそれよりずっと優れた結果を与えることを明確に示している。
実施例２
ＳＡＥ等級５Ｗ−３０乗用車モーター油を表２に示される通りにブレンドした。油＃８及び９はポリマー性分散剤、スルホネート洗剤、亜鉛ジアルキルジチオホスフェート（ＺＤＤＰ）、消泡剤、粘度指数向上剤、流動点低下剤、希釈プロセス油及び表２に挙げられている酸化防止剤から成る濃厚添加剤パッケージを用いて配合された。２つの油を以下の修正を用い、実施例１に記載されているＳｅｑｕｅｎｃｅ  ＩＩＩＥエンジン試験において評価した。本発明の３成分酸化防止剤系により示される有効性が非常に高程度なので、延長されたＳｅｑｕｅｎｃｅ  ＩＩＩＥ試験を行うことが必要であった。それぞれのＩＩＩＥ試験を行う実際の長さは表２の粘度結果の部門に示されている。これらの油を約７４０ｐｐｍのＺＤＤＰ由来のリンを完成油に与えるようにブレンドし、硫黄超低量水素化分解油におけるスラッジ抑制に十分な量のポリマー性分散剤と配合した。用いられる１００Ｎ及び２４０Ｎ硫黄超低量水素化分解ベース油は、実施例１で限定されたものと同じである。硫化ヒンダードフェノールは１９９６年６月３日出願の同時係属米国出願０８／６５７，１４１の実施例２に記載されている方法と類似の方法で製造され、１０．７５重量％の硫黄を含有した。用いられた２−エチルヘキサン酸モリブデンは、Ｔｈｅ  Ｓｈｅｐｈｅｒｄ  Ｃｈｅｍｉｃａｌ  Ｃｏｍｐａｎｙから商業的に入手可能な約８．５重量％のモリブデンを含有する油溶性モリブデン化合物であるオクタン酸モリブデンであった。用いられたアルキル化ジフェニルアミンはＵｎｉｒｏｙａｌ  Ｃｈｅｍｉｃａｌ  Ｃｏｍｐａｎｙ，Ｉｎｃ．から入手可能なオクチル／スチリルジフェニルアミンであるＮａｕｇａｌｕｂｅR  ６８０であった。
【００４５】
【表２】
0003812637.tif 000004
【００４６】
【表３】
0003812637.tif 000005
【００４７】
＊粘度が高すぎて測定不可能
表２のＳｅｑｕｅｎｃｅ  ＩＩＩＥの結果は、本発明の３成分酸化防止剤系の多様な利点を示している。本発明の３成分酸化防止剤系が硫黄低量水素化分解油において用いられると、ＩＩＩＥにおいて粘度を制御する油の能力の有意な向上が見られる（実施例１の油＃２〜５と実施例２の油＃８及び９を比較されたい）。油＃８及び９（約７４０ｐｐｍ）においてＺＤＤＰ由来のリンの量が実施例１（９００及び８２０ｐｐｍ）のものより低く、かくして酸化及び粘度上昇に対してもっと感受性の油を生じていても、本発明の３成分酸化防止剤系のために有意にもっと安定な油が見られる。
【００４８】
さらに、３元酸化防止剤系の処理の程度が増すと（油＃８及び油＃９を比較されたい）、もっと良いＩＩＩＥの粘度の結果が得られ、すなわち油＃９は粘度のパラメーターに関してＳｅｑｕｅｎｃｅ  ＩＩＩＥの２重の実験に非常にわずかな粘度の上昇で合格している。
実施例３
硫化ヒンダードフェノール、硫化オレフィン、アルキル化ジフェニルアミン及び油溶性モリブデン化合物を表３に示されている通りにＳＡＥ等級５Ｗ−３０乗用車モーター油中にブレンドした。油はポリマー性分散剤、スルホネート洗浄剤、亜鉛ジアルキルジチオホスフェート（ＺＤＤＰ）、消泡剤、粘度指数向上剤、流動点低下剤及び希釈プロセス油を含む同じ濃厚添加剤パッケージを用いて配合された。これらの油を約８２０ｐｐｍのＺＤＤＰ由来のリンを完成油に与えるようにブレンドし、硫黄超低量水素化分解油におけるスラッジ抑制に十分な量のポリマー性分散剤と配合した。１００Ｎ及び２４０Ｎ硫黄超低量水素化分解ベース油は実施例１で限定された通りである。硫化ヒンダードフェノールは１９９６年６月３日出願の同時係属米国出願０８／６５７，１４１の実施例２に記載されている方法と類似の方法で製造され、１０．２２重量％の硫黄を含有した。用いられた２−エチルヘキサン酸モリブデンは、Ｔｈｅ  Ｓｈｅｐｈｅｒｄ  Ｃｈｅｍｉｃａｌ  Ｃｏｍｐａｎｙから商業的に入手可能な約８．５重量％のモリブデンを含有する油溶性モリブデン化合物であるオクタン酸モリブデンであった。用いられたアルキル化ジフェニルアミンはＵｎｉｒｏｙａｌ  Ｃｈｅｍｉｃａｌ  Ｃｏｍｐａｎｙ，Ｉｎｃ．から入手可能なオクチル／スチリルジフェニルアミンであるＮａｕｇａｌｕｂｅR  ６８０であった。用いられた硫化オレフィンは実施例１に記載されているＨｉＴＥＣR  ７０８４硫化オレフィンであった。
【００４９】
これらの油の酸化安定性を“Ｃｈａｒａｃｔｅｒｉｚａｔｉｏｎ  ｏｆ  Ｌｕｂｒｉｃａｔｉｏｎ  Ｏｉｌｓ  ｂｙ  Ｄｉｆｆｅｒｅｎｔｉａｌ  Ｓｃａｎｎｉｎｇ  Ｃａｌｏｒｉｍｅｔｒｙ”，ＳＡＥ  Ｔｅｃｈｎｉｃａｌ  ＰａｐｅｒＳｅｒｉｅｓ，８０１３８３（Ｏｃｔｏｂｅｒ  ２０−２３，１９８０）においてＪ．Ａ．Ｗａｌｋｅｒ及びＷ．Ｔｓａｎｇにより記載されている通りに、加圧示差走査熱量測定（ＰＤＳＣ）により測定した。油の試料をナフテン酸鉄触媒（５５ｐｐｍ  Ｆｅ）で処理し、約２ミリグラムを開放アルミニウム気密皿（ｏｐｅｎ  ａｌｕｍｉｎｕｍ  ｈｅｒｍｅｔｉｃ  ｐａｎ）において分析した。ＤＳＣセルを酸化触媒として約５５ｐｐｍのＮＯ2を含有する４００ｐｓｉの空気で加圧した。以下の加熱順列を用いた：２０℃／分で１２０℃まで勾配、１０℃／分で１５０℃まで勾配、２．５℃で２５０℃まで勾配、１分間等温。温度勾配順列の間、発熱による熱の放出が観察される。この発熱による熱の放出は酸化反応を表している。発熱による熱の放出が観察される温度は酸化開始温度と呼ばれ、油の酸化的安定性の尺度である（すなわち酸化開始温度が高い程、油の酸化的安定性が高い）。すべての油を３重に評価し、結果を平均化し、その結果を表３に示す。
【００５０】
表３の開始温度の結果は、完全に配合された乗用車モーター油において酸化を抑制するための３元酸化防止剤系の利点を明確に示している。３成分酸化防止剤系の１つ又は２つの成分のみを含有する項目に対し、もっと少ない添加剤で同等か又はそれ以上の結果、すなわち同等か又はそれより高い開始温度を達成する類似の３成分の項目があることに注意されたい。例えば油＃１５は２成分のみ（ジフェニルアミンが１つの成分を示し、硫化オレフィンと硫化ヒンダードフェノールの組み合わせが第２の成分を示す）の使用に由来する０．９重量％の酸化防止剤系の使用で２０６．５の開始温度を達成することができる。油＃１７及び＃１８は３元系に由来するそれぞれ０．６７５重量％及び０．７５重量％の酸化防止剤を用い、実験誤差範囲内で同じ開始温度を達成している。油＃２０は３元系に由来するわずか０．５７５重量％の酸化防止剤を用いてもっと高い開始温度を達成している。この型の対応は、１又は２成分のみを含有する油を３成分のすべてを含有する油と比較する時に一貫して見られる。やはり重要なことは、硫化オレフィンと硫化ヒンダードフェノールの組み合わせを３成分系中の成分の１つを示すために用いることができることである。いくつかの最も強力な酸化防止剤の組み合わせが、硫化オレフィンと硫化ヒンダードフェノールが１成分を示し、残りの２成分がモリブデン及びジフェニルアミンである場合に見られる（油＃２２〜＃２６）。
【００５１】
【表４】
0003812637.tif 000006
【００５２】
実施例４
以下の実施例は、クランクケース潤滑剤において硫化モリブデン化合物に対して硫黄−不含モリブデン化合物を用いる利点を示している。
【００５３】
１系列の重質ジーゼルエンジン油を表ＩＶに限定される通りにブレンドした。ポリマー性分散剤、スルホネート及びフェナート洗剤、ＺＤＤＰ、消泡剤、粘度指数向上剤、流動点低下剤、酸化防止剤、希釈プロセス油及びベース油を用いて油を配合し、モリブデン−不含ＳＡＥ等級１５Ｗ−４０モーター油を調製した。完成油を次いで多様な硫黄含有及び硫黄−不含モリブデン化合物を用いてトップ処理し（ｔｏｐ  ｔｒｅａｔｅｄ）、各ブレンドに約５００ｐｐｍのモリブデンを与えた。用いられたモリブデン化合物は以下の通りであった：Ａｓａｈｉ  Ｄｅｎｋａ  Ｋｏｇｙｏ  Ｋ．Ｋ．から入手可能な硫黄含有モリブデンジチオカルバメートであるＳａｋｕｒａ−ＬｕｂｅR  １５５；Ａｓａｈｉ  Ｄｅｎｋａ  Ｋｏｇｙｏ  Ｋ．Ｋ．から入手可能な硫黄−不含モリブデンアミン錯体であるＳａｋｕｒａ−ＬｕｂｅR  ７００；Ｒ．Ｔ．Ｖａｎｄｅｒｂｉｌｔ  Ｃｏｍｐａｎｙ，Ｉｎｃ．から入手可能な硫黄含有モリブデンジチオカルバメートであるＭｏｌｙｖａｎR  ８０７及び８２２；Ｒ．Ｔ．Ｖａｎｄｅｒｂｉｌｔ  Ｃｏｍｐａｎｙ，Ｉｎｃ．から入手可能な硫黄−不含有機モリブデン化合物であるＭｏｌｙｖａｎR  ８５５；ならびにＴｈｅ  Ｓｈｅｐｈｅｒｄ  Ｃｈｅｍｉｃａｌ  Ｃｏｍｐａｎｙから入手可能な硫黄−不含モリブデンカルボキシレートであるＭｏｌｙｂｄｅｎｕｍ  Ｏｃｔｏａｔｅ。これらの油をＡｌｌｉｓｏｎ  Ｃ−４  ニトリルシールテスト、方法ＧＭ  ６１３７−Ｍ、テストＪ１、全浸漬条件を用いてニトリルエラストマー適合性に関して評価した。調べられたニトリルエラストマーを硬度の変化に関して等級付けた。このパラメーターは完成油中の硫化添加剤に特に感受性である。活性硫黄はこれらのシールを硬化する効果を有し、すなわち硬度の等級付けにおける上昇を示す。結果を表４に示す。すべてのモリブデン化合物がモリブデン−不含の参照試料に対して改良を示すが、硫黄−不含モリブデン化合物が最大の改良を示すことに注意されたい。これは硫黄−不含モリブデン化合物の利点であり、それはモリブデン及びジフェニルアミンと組み合わせて用いることができる硫化された酸化防止剤の量及び型において、より大きな柔軟性をそれが許すからである。
【００５４】
【表５】
0003812637.tif 000007
【００５５】
実施例５
以下の実施例はニトリルシール適合性潤滑剤の製造のために、本発明においてどのように硫黄−不含モリブデン化合物を用いることができるかを示している。
【００５６】
硫化ヒンダードフェノール、硫化オレフィン、アルキル化ジフェニルアミン及び油溶性モリブデン化合物を表Ｖに示す通りにＳＡＥ等級５Ｗ−３０乗用車モーター油中にブレンドした。ポリマー性分散剤、スルホネート洗剤、ＺＤＤＰ、消泡剤、粘度指数向上剤、流動点低下剤及び希釈プロセス油を用いて油を配合した。これらの油を約８２０ｐｐｍのＺＤＤＰ由来のリンを完成油に与えるようにブレンドし、硫黄超低量水素化分解油におけるスラッジ抑制に十分な量のポリマー性分散剤と配合した。用いられた１００Ｎ及び２４０Ｎ硫黄超低量水素化分解ベース油は実施例１で限定されたものであった。硫化ヒンダードフェノールは１９９７年２月１９日出願の０８／８７７，５３３、実施例１に記載されている方法と類似の方法で製造され、約６．６重量％の硫黄を含有した。用いられたモリブデン化合物はＲ．Ｔ．Ｖａｎｄｅｒｂｉｌｔ  Ｃｏｍｐａｎｙ，Ｉｎｃ．から入手可能な約８．０重量％のモリブデンを含有する有機アミドの油溶性有機モリブデン錯体であるＭｏｌｙｖａｎR  ８５５であった。用いられたアルキル化ジフェニルアミンはＴｈｅ  ＢＦＧｏｏｄｒｉｃｈ  Ｃｏｍｐａｎｙ，Ｉｎｃ．から入手可能なオクチル／スチリルアルキル化ジフェニルアミンであった。用いられた硫化オレフィンはＥｔｈｙｌ  Ｃｏｒｐｏｒａｔｉｏｎから入手可能な約２０重量％の硫黄を含有するＣ16−Ｃ18硫化オレフィンであるＨｉＴＥＣR  ７０８４硫化オレフィンであった。これらの油を実施例４で限定されたＡｌｌｉｓｏｎＣ−４ニトリルシールテストを用いてニトリルエラストマー適合性に関して評価した。結果を表５に示す。モリブデンを含まない試料は硬度の等級付けに関してニトリルシールテストに合格しないが、モリブデンを含有する試料は合格することに注意されたい。この効果は重要であり、それはニトリルシール非適合性を有することなく、より多量の硫化オレフィン及び硫化ヒンダードフェノールの使用をそれが許すからである。
【００５７】
【表６】
0003812637.tif 000008
【００５８】
実施例６
硫化ヒンダードフェノール、アルキル化ジフェニルアミン及び油溶性モリブデン化合物を表６に示す通りにＳＡＥ等級５Ｗ−３０乗用車モーター油中にブレンドした。ポリマー性分散剤、スルホネート洗剤、ＺＤＤＰ、消泡剤、粘度指数向上剤、流動点低下剤及び希釈プロセス油を用いて油を配合した。これらの油を約７００ｐｐｍのＺＤＤＰ由来のリンを完成油に与えるようにブレンドし、硫黄超低量水素化分解油におけるスラッジ抑制に十分な量のポリマー性分散剤と配合した。用いられた１００Ｎ硫黄超低量水素化分解ベース油は実施例１で限定されたものであった。用いられた硫化ヒンダードフェノールは１９９７年２月１９日出願の０８／８７７，５３３、実施例１に記載されている方法と類似の方法で製造され、６．６重量％の硫黄を含有した。用いられたモリブデン化合物は以下の通りであった：Ｔｈｅ  Ｓｈｅｐｈｅｒｄ  Ｃｈｅｍｉｃａｌ  Ｃｏｍｐａｎｙから入手した約８．５重量％のモリブデンを含有する硫黄−不含モリブデン化合物であるオクタン酸モリブデン；Ａｓａｈｉ  Ｄｅｎｋａ  Ｋｏｇｙｏ  Ｋ．Ｋ．から入手可能な硫黄−不含モリブデンアミン錯体であるＳａｋｕｒａ−ＬｕｂｅR  ７００；Ｒ．Ｔ．Ｖａｎｄｅｒｂｉｌｔ  Ｃｏｍｐａｎｙ，Ｉｎｃ．から入手可能な硫黄含有モリブデンジチオカルバメートであるＭｏｌｙｖａｎR  ８２２；ならびにＲ．Ｔ．Ｖａｎｄｅｒｂｉｌｔ  Ｃｏｍｐａｎｙ，Ｉｎｃ．から入手可能な硫黄−不含有機モリブデン化合物であるＭｏｌｙｖａｎR  ８５５。用いられたアルキル化ジフェニルアミンはＴｈｅ  ＢＦＧｏｏｄｒｉｃｈ  Ｃｏｍｐａｎｙ，Ｉｎｃ．から入手可能なオクチル／スチリルアルキル化ジフェニルアミンであった。これらの油の酸化安定性を実施例３で限定された加圧示差走査熱量測定（ＰＤＳＣ）により測定した。結果を表６に示す。すべての試料（油＃３９〜５３）は９７．３０重量％のベース５Ｗ−３０油ブレンドならびにベース油ブレンド、単数又は複数の酸化防止剤及び希釈油を含む１００重量％の組成物全体を作るのに十分な量のプロセス希釈油を含有した。本発明のいずれかの１又は２成分が不在の場合（油ブレンド４０〜４９）、酸化安定性が低い油が製造されることに注意されたい。この実施例は、所望の比較的高い開始温度により示される高程度の酸化安定性を有する油（油ブレンド５０〜５３）を製造するために、ジアリールアミン、硫化ヒンダードフェノール及び油溶性モリブデン化合物の３成分のすべてを有することの重要性を示している。
【００５９】
【表７】
0003812637.tif 000009
【００６０】
＊比較実施例
本発明はその実行においてかなりの変更を受けることがあり得る。従って本発明は上記に示されている特定の例示に制限されない。むしろ本発明は法律問題として利用できるその同等事項を含んで、添付の特許請求の範囲の精神及び範囲内にある。
【００６１】
特許権所有者は、いずれの開示される実施態様も公に開放する意図はなく、開示される修正又は変更が文字として特許請求の範囲の範囲内に含まれている必要がない程度に、それらは同等事項の原則の下に本発明の一部であると考える。
【００６２】
本発明の主たる特徴及び態様は以下の通りである。
【００６３】
１．（Ａ）第２ジアリールアミン、
（Ｂ）硫化オレフィン及び硫化ヒンダードフェノール類から成る群より選ばれる少なくとも１種、ならびに
（Ｃ）油溶性モリブデン化合物
を含む酸化防止剤系。
【００６４】
２．（Ｂ）が式：
【００６５】
【化２】
0003812637.tif 000010
【００６６】
［式中、Ｒはアルキル基であり、Ｒ1はアルキル基及び水素から成る群より選ばれ、Ｚ又はＺ1の一方はＯＨであり、他方は水素であり、Ｚ2又はＺ3の一方はＯＨであり、他方は水素であり、ｘは１〜６の範囲内にあり、ｙは０〜２の範囲内にある］
の硫化ヒンダードフェノールである上記１項の酸化防止剤系。
【００６７】
３．（Ｂ）が少なくとも１種の硫化オレフィンと少なくとも１種の硫化ヒンダードフェノールの混合物である上記１項の酸化防止剤系。
【００６８】
４．（Ｃ）が油溶性硫黄−不含モリブデン化合物である上記１項の酸化防止剤系。
【００６９】
５．潤滑粘度の油及び上記１項の酸化剤組成物を含む潤滑組成物。
【００７０】
６．潤滑粘度の油が９０重量％又はそれ以上の飽和化合物及び５００ｐｐｍ又はそれ以下の硫黄を含有する上記５項の潤滑組成物。
【００７１】
７．分散剤、洗浄剤、抗−摩耗剤、補足的酸化防止剤、粘度指数向上剤、流動点低下剤、腐食防止剤、錆防止剤、抑泡剤及び摩擦修正剤から成る群より選ばれる少なくとも１種をさらに含む上記５項の潤滑組成物。
【００７２】
８．潤滑組成物が重量により約８５０ｐｐｍ未満の合計リンを含有する上記７項の潤滑組成物。
【００７３】
９．成分（Ａ）が合計潤滑剤組成物の約０．０５〜約０．５重量％の量で存在する上記５項の潤滑組成物。
【００７４】
１０．合計モリブデン含有率が重量により合計潤滑剤組成物の約６０〜約１０００ｐｐｍとなるような量で成分（Ｃ）が存在する上記５項の潤滑組成物。
【００７５】
１１．成分（Ｂ）が、約０．０５〜約０．３０重量％の硫化オレフィンからの硫黄が最終潤滑剤組成物に与えられるような量の硫化オレフィン及び合計潤滑剤組成物の約０．３〜約１．５重量％の量の硫化ヒンダードフェノールから選ばれる上記５項の潤滑組成物。
【００７６】
１２．上記１項の酸化防止剤系及び希釈プロセス油を含む濃厚添加剤。
【００７７】
１３．分散剤、洗浄剤、抗−摩耗剤、補足的酸化防止剤、粘度指数向上剤、流動点低下剤、腐食防止剤、錆防止剤、抑泡剤及び摩擦修正剤から成る群より選ばれる少なくとも１種をさらに含む上記１２項の濃厚添加剤。
【００７８】
１４．潤滑油に有効量の上記１項の酸化防止剤系を添加することを含む潤滑油組成物における酸化的環境を軽減する方法。